(57)【特許請求の範囲】
【請求項１】
親局から第1光カプラを介して複数の子局ユニットに接続され、該各子局ユニットは信号の送受信及び信号処理を行う主信号ユニットと、該主信号ユニット及び前記第1光カプラ間に配置され、異常検出時に回路を遮断する光ブレーカ回路とを含む光加入者システムにおいて、
前記光ブレーカ回路は、前記主信号ユニットに送受信される光信号を、第２光カプラで分岐し、該分岐された一方は第１光スイッチを介して前記第１光カプラへ接続し、他方は第２光スイッチを介して異常光を検出する光検出回路へ入力し、前記第２光スイッチは前記主信号ユニットからの信号を受け大信号を送信する第１光送信器を前記第２光スイッチに接続すると共に該第２光スイッチを該第２スイッチ側に切り替え、前記大信号を前記光検出回路に入力して異常検出させ、前記第１光スイッチを切り替えて前記光検出回路の正常動作を知らせる第２光送信器から前記親局に前記光ブレーカ回路の正常動作を確認させることを特徴とする光加入者システム。
【請求項２】
前記第１光送信器の前記大信号は、前記光検出回路が検出すべき異常光の大きさに応じて設定することを特徴とする請求項１に記載の光加入者システム。
【請求項３】
前記主信号ユニットは、前記光ブレーカ回路の前記監視回路に監視信号を送る光ブレーカ監視回路を有することを特徴とする請求項１に記載の光加入者システム。
【請求項４】
前記光ブレーカ監視回路は、システム運用時に前記親局からの距離測定用信号の最初の１フレームを前記監視信号に変換することを特徴とする請求項３に記載の光加入者システム。
【請求項５】
前記親局は、前記子局ユニットからの監視信号を識別する監視信号識別回路及び該監視信号識別回路の出力を受ける警報回路を有することを特徴とする請求項１に記載の光加入者システム。
【請求項６】
光カプラを介して接続された親局と複数の子局ユニットを有する光加入者システムの前記子局ユニット内の光ブレーカ回路を監視する光加入者システムの監視方法において、
前記子局ユニット内に設けた光ブレーカ回路の状態を光ブレーカ監視回路にて、システム運用時に距離測定用の最初のフレームを用いて光ブレーカ監視信号に変更し、前記親局へ送信することを特徴とする光加入者システムの監視方法。
【発明の詳細な説明】
【０００１】
【発明の属する技術分野】
本発明は、光加入者システム及びその運営開始時の光ブレーカ回路の動作を確認する監視方法に関する。
【０００２】
【従来の技術】
光加入者システムは、銅線を用いる電気ベースの加入者システムに比して伝送情報量が多いこと、ノイズの影響が少ないこと等の多くの利点を有するので急速に普及しつつある。
【０００３】
従来の光加入者システムの従来例を図５を参照して説明する。斯る従来の光加入者システムでは、複数の子局ユニット１（１ａ、１ｂ、…１ｎ）が各々光ブレーカ回路２（２ａ、２ｂ、…２ｎ）が接続された光ファイバ伝送路５（５ａ、５ｂ…５ｎ）を介して第１光カプラ３にて親局４に接続される。各光ブレーカ２は、第１光スイッチ２１、光遅延回路２２、第２光カプラ２３及び光検出回路２４を有する。
【０００４】
各子局ユニット１から出力される光信号は、各光ファイバ伝送路５を通り各光ブレーカ回路２へ入力される。この光ブレーカ回路２に入力される光信号は、１×２（又は２×２）分岐の第２光カプラ２３で分岐される。分岐された光信号の片側は、光検出回路２４の遅延差と同等の遅延を有する光遅延回路２２を通過して第１光スイッチ２１に入力される。他方の光信号は、光検出回路２４に入力される。光検出回路２４は、第２光カプラ２３からの光信号を検出する。
【０００５】
この光検出回路２４で検出された光信号が正常であれば、第１光スイッチ２１の切替は行われない。光信号が異常光や妨害光と判断された場合のみ、第１光スイッチ２１を切替えて、光ファイバ伝送路５から光検出回路２４が有する光送信器に接続される。光検出回路２４で正常光と判断された場合には、子局ユニット１から出力された光信号は１：ｎ（ここで、ｎは子局ユニット１の個数）の第１光カプラ３を通り親局４に入力され、親局４は、子局ユニット１が正常動作していることを確認する。
【０００６】
また、光検出回路２４で異常光及び妨害光と判断された場合には、第１光スイッチ２１は光検出回路２４内に接続される。光検出回路２４内から出力される低周波光信号は、子局ユニット１を意味付ける低周波光信号を送出しており、その低周波光信号が正常時同様に１：ｎの光カプラ３を通過して、親局４では、低周波光信号を識別し、子局ユニット１に障害が発生していることを確認する。
【０００７】
【発明が解決しようとする課題】
上述した光加入者システムの問題点は、光ブレーカ回路２が正常動作しているか否か親局４又は子局ユニット１側から判らないことである。その理由は、子局ユニット１や伝送路５の監視は可能であるが、光ブレーカ回路の監視手段が設けられない為である。
【０００８】
従って、本発明の目的は、光ブレーカ回路の監視が可能であり、異常光や妨害光の確認が可能な光加入者システム及びその監視方法を提供することである。
【０００９】
【課題を解決するための手段】
前述の課題を解決するため、本発明による光加入者システム及びその監視方法は、次のような特徴的な構成を採用している。
【００１０】
（１）親局から第1光カプラを介して複数の子局ユニットに接続され、該各子局ユニットは信号の送受信及び信号処理を行う主信号ユニットと、該主信号ユニット及び前記第1光カプラ間に配置され、異常検出時に回路を遮断する光ブレーカ回路とを含む光加入者システムにおいて、
前記光ブレーカ回路は、前記主信号ユニットに送受信される光信号を、第２光カプラで分岐し、該分岐された一方は第１光スイッチを介して前記第１光カプラへ接続し、他方は第２光スイッチを介して異常光を検出する光検出回路へ入力し、前記第２光スイッチは前記主信号ユニットからの信号を受け大信号を送信する第１光送信器を前記第２光スイッチに接続すると共に該第２光スイッチを該第２スイッチ側に切り替え、前記大信号を前記光検出回路に入力して異常検出させ、前記第１光スイッチを切り替えて前記光検出回路の正常動作を知らせる第２光送信器から前記親局に前記光ブレーカ回路の正常動作を確認させる光加入者システム。
【００１１】
（２）前記第１光送信器の前記大信号は、前記光検出回路が検出すべき異常光の大きさに応じて設定する上記（１）の光加入者システム。
【００１２】
（３）前記主信号ユニットは、前記光ブレーカ回路の前記監視回路に監視信号を送る光ブレーカ監視回路を有する上記（１）の光加入者システム。
【００１３】
（４）前記光ブレーカ監視回路は、システム運用時に前記親局からの距離測定用信号の最初の１フレームを前記監視信号に変換する上記（３）の光加入者システム。
【００１４】
（５）前記親局は、前記子局ユニットからの監視信号を識別する監視信号識別回路及び該監視信号識別回路の出力を受ける警報回路を有する上記（１）の光加入者システム。
【００１５】
（６）光カプラを介して接続された親局と複数の子局ユニットを有する光加入者システムの前記子局ユニット内の光ブレーカ回路を監視する光加入者システムの監視方法において、
前記子局ユニット内に設けた光ブレーカ回路の状態を光ブレーカ監視回路にて、システム運用時に距離測定用の最初のフレームを用いて光ブレーカ監視信号に変更し、前記親局へ送信する光加入者システムの監視方法。
【００１６】
【発明の実施の形態】
以下、本発明による光加入者システムの好適実施形態例を添付図１乃至図４を参照して詳細に説明する。
【００１７】
図１は、本発明による光加入者システムの子局ユニットの好適実施形態例のブロック図である。同様に、図２は、本発明による光加入者システムの親局のブロック図である。図３は、光ブレーカ監視回路のブロック図である。また、図４は、本発明による光加入者システムの動作説明用タイミングチャートである。尚、本発明による光加入者システムは、従来システムと類似の構成素子を多数使用するので、対応素子には、同様参照符号を使用する。
【００１８】
先ず、図１及び図２を参照すると、親局４は光カプラ４１、光送信器４２、光受信器４３、警報回路４５、信号処理回路４６及び監視信号識別回路４７を含んでいる。光カプラ４１は、送出する信号と受信する信号をカップリングして一芯にする。光送信器４２は、信号処理回路４６からの信号を受けて、信号を光カプラ４１に送出する。光受信器４３は、子局ユニット１から第１光カプラ３及び４１を介して送られてくる信号を受信する。信号処理回路４６は、光受信器４３からの主信号出力の識別を行う。監視信号識別回路４７は、光受信器４３を介して送信されてくる子局ユニット１の光ブレーカ回路２の監視信号を識別し、その結果を警報回路４５及び信号処理回路４６へ送出する。警報回路４５は、監視信号識別回路４７からの信号を受けて処理する。親局４から出力された信号は、第１光カプラ３により各伝送路５に分岐して子局ユニット１（１ａ〜１ｎ）に送出される。
【００１９】
次に、図１に示す子局ユニット１（１ａ〜１ｎ）は、各々光ブレーカ回路２及び主信号ユニット１２を有する。光ブレーカ回路２は、上述した如く、各光伝送路５内の異常光や妨害光を識別する。光ブレーカ回路２は、第１光スイッチ２１、光遅延回路２２、第２光カプラ２３、光検出回路２４、光スイッチ２５、監視回路２６、光送信器２７、２８を含んでいる。第２光カプラ２３は、伝送路５の信号を分岐する。監視回路２６は、光加入者システムの運用時に光ブレーカ回路２の監視を行う。第２光スイッチ２５は、監視回路２６からの制御信号を受け、この監視回路２６の出力を受ける第１光送信器２７の出力又は第２光カプラ２３の出力を切り替える。この第２光スイッチ２５の出力は、光検出回路２４に入力され、この光検出回路２４の出力は、第１光スイッチ２１の制御信号となる。第１光スイッチ２１は、光伝送路５からの信号を光遅延回路２２側又は第２光送信器２８側に切り替える。
【００２０】
次に、子局ユニット１内の主信号ユニット１２は、光カプラ１２１、光受信器１２２、信号処理回路１２３、光送信器１２５及び監視信号変換回路１２６を含んでいる。光受信器１２２は、親局４から送られてくる信号を受信する。監視信号変換回路１２６は、システム運用時に親局４からの距離測定用の信号のうち、最初の１フレームを光ブレーカ回路２の監視信号に変換する。信号処理回路１２３は、主信号を処理する。光送信器１２５は、信号処理回路１２３からの信号を受け、光カプラ１２１に信号を送出する。光カプラ１２１は、親局４から光受信器１２２への信号と、光送信器１２５からの信号とをカップリングする。
【００２１】
次に、図１、図２及び図４を参照して本発明による光加入者システムの好適実施形態例の動作を説明する。システム運用時に、親局４は、各子局ユニット１ａ、１ｂ、…１ｎに向けて距離測定用の信号Ａ（以下、単に信号Ａいう）を出力する。親局４より出力される信号Ａは、第１光カプラ３及び光伝送路５を介して各子局ユニット１へ入力される（図２参照）。
【００２２】
子局ユニット１へ入力された信号Ａは、主信号ユニット１２か光ブレーカ回路２を選択する第１光スイッチ２１，光遅延回路２２及び１×２（又は２×２）分岐の第２光カプラ２３へ送られる。分岐された第２光カプラ２３の片側は、次の１×２（又は２×２）分岐の光カプラ１２１へ入力され、第２光カプラ２３の他方は、第２光スイッチ２５の１側を介して光検出回路２４に入力される。第２光スイッチ２５の２側は、大信号を出力する第１光送信器２７に接続されている。この第２光スイッチ２５が切り替わると、大信号Ｃ（以下、信号Ｃという）が光検出回路２４に入力される。
【００２３】
第２光スイッチ２５により、光検出回路２４へ送られた信号Ａは、異常光又は妨害光でなければ、第１光スイッチ２１は切り替えられないので主信号側のままである。ここで、光カプラ１２１に送られた信号Ａは、光受信器１２２により光信号から電気信号へ変換され、監視信号変換回路１２６によって、距離測定用の信号の最初の１フレームの信号が光ブレーカ監視信号Ｂ（以下、信号Ｂという）に変換される。
【００２４】
次に、監視信号変換回路１２６の詳細を図３を参照して説明する。光受信器１２２と信号処理回路１２３間に接続されている監視信号変換回路（又は光ブレーカ監視回路）１２６は、セレクタ１２６１、光ブレーカ監視信号発生回路１２６２、立ち上がり検出回路１２６３、パワーオンリセット回路１２６４、カウンタ１２６５及びＲ／Ｓフリップフロップ１２６６を含んでいる。
【００２５】
光受信器１２２から出力された信号は、２分岐され、一方はセレクタ１２６１の０側入力端に入力され、他方は立ち上がり検出回路１２６３に入力される。立ち上がり検出回路１２６３の出力は、カウンタ１２６５のリセット端子と光ブレーカ監視信号発生回路１２６２に入力される。この光ブレーカ監視信号発生回路１２６２の出力は、セレクタ１２６１の１側入力端に接続される。
【００２６】
ここで、セレクタ１２６１は、システム運用時にはパワーオンリセット回路１２６４が動作し、Ｒ／Ｓフリップフロップ１２６６がセットされてオン状態である。そこで、セレクタ１２６１は１側に設定され、セレクタ１２６１は光ブレーカ監視信号発生回路１２６２の出力（信号Ｂ）を信号処理回路１２３に入力するよう動作する。カウンタ１２６５は、１フレーム間の時間経過を求め、この時間経過でオンとなり、Ｒ／Ｓフリップフロップ１２６６をリセットする。そこで、Ｒ／Ｓフリップフロップ１２６６は、セレクタ１２６１の出力を１側から０側に切り替え、信号Ａを信号処理回路１２３に対して出力する。
【００２７】
信号Ｂを受けた信号処理回路１２３は、光ブレーカ監視信号を識別し、識別信号を光送信器１２５及び光ブレーカ回路２内の監視回路２６へ送る。そこで、監視回路２６は、信号処理管理１２３からの識別信号であることの認識信号を受けて出力する。この監視回路２６からの出力は２分され、一方は信号Ｃを出力する第１光送信器２７へ、他方は第２光スイッチ２５を１側（第２光カプラ２３側）から２側（第１光送信器２７側）へ切り替える。第１光送信器２７の出力（信号Ｃ）は、第２光スイッチ２５を介して光検出回路２４へ入力される。
【００２８】
光検出回路２４は、信号Ｃを受信して、異常光や妨害光が入力された動作を行う。光検出回路２４が正常動作していれば、第１光スイッチ２１を、光ブレーカ回路側に切り替え、第２光送信器２８より光ブレーカ回路正常動作信号Ｄ（以下信号Ｄという）を親局４へ送出する。
【００２９】
子局ユニット１より出力された信号Ｄは、各光ファイバ伝送路５を通り、更に第１光カプラ３を介して親局４へ入力される。親局４に入力された信号Ｄは、光カプラ４１を介して光受信器４３に入力される。そこで、光受信器４３は、光信号を光−電気変換し、監視信号識別回路４７及び信号処理回路４６に送られる。
【００３０】
監視信号識別回路４７は、光ブレーカ回路正常動作信号を識別し、信号処理回路４６及び警報回路４５に送り、入力された信号が光ブレーカ回路正常動作信号であることを伝える。
【００３１】
ここで、光検出回路２４が正常動作していない場合には、第１光スイッチ２１は、切り替わらない為に、第１光カプラ３を通り信号Ｂが親局４に入力される。この場合には、監視信号識別回路４７は、光ブレーカ回路２が故障していると判断し、警報回路４５にその旨を伝え、警報回路４５は、警報信号を出力する。
【００３２】
また、信号処理回路４６は、光受信器４３から送られた信号の主信号を識別し、光受信器４３が正常に動作しているか否か判断し、警報回路４５へ通知する。
【００３３】
光ブレーカ回路２の動作確認が終了すると、信号処理回路４６は、主信号を光送信器４２に送り、光加入者システムの通常の運用を行う。
【００３４】
以上、本発明による光加入者システム及びその動作方法の好適実施形態例の構成及び動作を詳述した。しかし、本発明は単に斯る特定例のみに限定されるべきではなく、本発明の要旨を逸脱することなく、特定用途に応じて種々の変形変更が可能であること、当業者には容易に理解できよう。
【００３５】
【発明の効果】
上述の説明から明らかな如く、本発明の光加入者システム及びその動作方法によると、各子局ユニットの回路毎にシステム運用時に動作を監視するので、各回路の故障等が容易に発見又は早期発見できるので、光加入者システムの運用が円滑に行える。また、光ブレーカ回路の監視が運用（営）時に可能であるので、その後に異常光や妨害光が起った場合にシステム全体を停止する必要がなく、異常光や妨害光の影響を最小限の抑えることが可能である。
【図面の簡単な説明】
【図１】本発明による光加入者システムの好適実施形態例の子局ユニットのブロック図である。
【図２】本発明による光加入者システムの好適実施形態例の親局ユニットのブロック図である。
【図３】本発明による光加入者システムに使用する光ブレーカ監視回路の具体例の詳細ブロック図である。
【図４】本発明による光加入者システムの動作説明用タイミングチャートである。
【図５】従来の光加入者システムのブロック図である。
【符号の説明】
１                  子局ユニット
２                  光ブレーカ回路
３                  第１光カプラ
４                  親局
１２                主信号ユニット
２１                第１光スイッチ
２３                第２光カプラ
２４                光検出回路
２５                第２光スイッチ
２６                監視回路
２７                第１光送信器
２８                第２光送信器
４３、１２２        光受信器
４７                監視信号識別回路
１２３              信号処理回路
１２６              監視信号変換回路
１２６１            セレクタ
１２６２            光ブレーカ監視信号発生回路
１２６３            立ち上がり検出回路
１２６４            リセット回路
１２６５            カウンタ
１２６６            フリップフロップ
【図１】
0003636916.tif 000002
【図２】
0003636916.tif 000003
【図３】
0003636916.tif 000004
【図４】
0003636916.tif 000005
【図５】
0003636916.tif 000006